(57)【要約】【課題】意匠性や外観品質に優れたエレベータ用敷居を提供する。【解決手段】敷居７の構造として、上面にガイド溝１４，１５が形成されたアルミニウム系合金製の本体部１６をフェースプレート１７で被覆したものとする。フェースプレート１７は、ガイド溝１４，１５を含む本体部１６の沿面形状に倣うようステンレス系板材を折り曲げ成形して、ガイド溝１４，１５の内周面を含めた本体部１６の上面全体を被覆する。これにより、敷居７の視覚的な見栄えが良好なものとなり、意匠性あるいは外観品質が著しく向上する。【選択図】図３
2013245038.tif 000002
【特許請求の範囲】
【請求項１】
エレベータ乗場の乗降口の下部に配置されてスライドドアを開閉可能に案内するエレベータ用敷居であって、
アルミニウム系合金材料により長手方向で均一断面形状のものとして形成されているとともに、上面に上記スライドドアのための凹状のガイド溝が形成された本体部と、
上記ガイド溝の内周面を含む上記本体部の上面全体を被覆しているカバー部材と、
を備えていて、
上記カバー部材は、上記ガイド溝の内周面および上記本体部の上面全体を含む沿面形状に倣うように単一のステンレス系板材を折り曲げ成形することにより形成してあり、
このカバー部材を上記本体部に圧入することにより当該本体部に嵌合保持させてあることを特徴とするエレベータ用敷居。
【請求項２】
上記本体部には互いに平行な複数のガイド溝を並設してある一方、
上記カバー部材は、上記複数のガイド溝の内周面および上記本体部の上面全体を含む凹凸の沿面形状に倣うように単一のステンレス系板材を断面凹凸形状に折り曲げ成形することにより形成してあることを特徴とする請求項１に記載のエレベータ用敷居。
【請求項３】
上記カバー部材は、上記本体部の幅方向での凹凸形状に基づく自己弾性力をもって当該本体部に嵌合保持させてあることを特徴とする請求項２に記載のエレベータ用敷居。
【請求項４】
上記カバー部材は上記本体部に対して接着固定してあることを特徴とする請求項３に記載のエレベータ用敷居。
【請求項５】
請求項１に記載のエレベータ用敷居であって、
既設エレベータのアルミニウム系合金製の本体部に対して、上記ステンレス系板材を折り曲げ成形したカバー部材を嵌合保持させたことを特徴とするエレベータ用敷居。
【発明の詳細な説明】
【技術分野】
【０００１】
本発明は、エレベータにおけるスライドドアを開閉可能に案内するエレベータ用敷居に関する。
【背景技術】
【０００２】
この種のエレベータ用敷居として、例えば特許文献１に記載の技術が提案されている。特許文献１に記載の技術は、エレベータの敷居本体に形成されたそれぞれのガイド溝に凹形状の溝部材を着脱可能に被せた構造となっている。そして、この溝部材の内周面をスライドドアの下端部の案内面としていて、この案内面が摩耗した場合には溝部材のみを交換することにより案内面の修復を容易に行えるとされている。
【先行技術文献】
【特許文献】
【０００３】
【特許文献１】実開平７−２３６８号公報
【発明の概要】
【発明が解決しようとする課題】
【０００４】
しかしながら、特許文献１に記載のエレベータ用敷居における溝部材は、ガイド溝の内周面のみを覆っているにすぎず、当該溝部材の上端面は乗客や手押し運搬車（手押し台車）等が通行することになる敷居本体の上面に露出している。そのため、敷居全体としての見栄えが悪いだけでなく、乗客や手押し運搬車等が通行する度に溝部材の上端面のエッジに乗客の靴や手押し運搬車の車輪等が引っ掛かり、溝部材がガイド溝の内側に折れ曲がってしまうことが危惧され、敷居の意匠性あるいは外観品質が低下することとなって好ましくない。
【０００５】
本発明はこのような課題に着目してなされたものであり、敷居の意匠性あるいは外観品質の向上を図ることができるエレベータ用敷居を提供するものである。
【課題を解決するための手段】
【０００６】
請求項１に記載の発明は、エレベータ乗場の乗降口の下部に配置されてスライドドアを開閉可能に案内するエレベータ用敷居であって、アルミニウム系合金材料により長手方向で均一断面形状のものとして形成されているとともに、上面に上記スライドドアのための凹状のガイド溝が形成された本体部と、上記ガイド溝の内周面を含む上記本体部の上面全体を被覆しているカバー部材と、を備えていて、上記カバー部材は、上記ガイド溝の内周面および上記本体部の上面全体を含む沿面形状に倣うように単一のステンレス系板材を折り曲げ成形することにより形成してあり、このカバー部材を上記本体部に圧入することにより当該本体部に嵌合保持させてあることを特徴としている。
【０００７】
具体的には、請求項２に記載のように、上記本体部には互いに平行な複数のガイド溝を並設してある一方、上記カバー部材は、上記複数のガイド溝の内周面および上記本体部の上面全体を含む凹凸の沿面形状に倣うように単一のステンレス系板材を断面凹凸形状に折り曲げ成形することにより形成してあるものとする。
【０００８】
より具体的には、請求項３に記載のように、上記カバー部材は上記本体部の幅方向での凹凸形状に基づく自己弾性力をもって当該本体部に嵌合保持させるものとする。
【０００９】
また、上記カバー部材の保持状態を更に安定させる上では、請求項４に記載のように、上記カバー部材は上記本体部に対して接着固定してあることが望ましい。
【００１０】
さらに、請求項５に記載の発明のように、既設エレベータのアルミニウム系合金製の本体部に対して、上記ステンレス系板材を折り曲げ成形したカバー部材を嵌合保持させることで、既設エレベータの敷居を容易にリニューアルすることができる。
【００１１】
したがって、少なくとも請求項１に記載の発明では、上記カバー部材は、ガイド溝の内周面を含む本体部の上面全体を被覆しているため、乗降口の開放状態においてもカバー部材の端面が本体部の上面に露出しない。そのため、観者にはカバー部材のみが視認され、例えば本体部とカバー部材の材質の違いや両者の境界が観者が認識されないだけでなく、乗客の靴や手押し運搬車等の車輪がカバー部材に引っ掛かることもなければ、カバー部材が折れ曲がることもない。
【発明の効果】
【００１２】
請求項１，２に記載の発明によれば、観者には敷居のカバー部材のみが視認され、本体部とカバー部材の材質の違いや両者の境界が観者に認識されることがないだけでなく、乗客の靴や手押し運搬車等の車輪等がカバー部材に引っ掛かることもなければ、カバー部材が折れ曲がることもなく、敷居の意匠性や外観品質が向上する。
【００１３】
また、カバー部材は圧入することにより本体部に嵌合保持させてあるので、カバー部材を定位置に固定するための固定手段を必要としない利点があるほか、請求項３に記載の発明のように、カバー部材の自己弾性力をもって本体部に嵌合保持させることにより、カバー部材の本体部への嵌合保持状態がより安定するようになる。
【００１４】
請求項４に記載の発明によれば、カバー部材を本体部に対して接着固定させてあるため、敷居の意匠性あるいは外観品質に影響を与えることなくカバー部材の保持状態が更に安定化する利点がある。
【００１５】
請求項５に記載の発明によれば、既設エレベータの敷居を容易にリニューアルすることができるため、敷居の意匠性や外観品質の向上に寄与する。
【図面の簡単な説明】
【００１６】
【図１】本発明の具体的な実施の形態を示す図であって、エレベータの乗場側の乗降口を昇降路側から見た図。
【図２】図１の要部を示す図であって、図１のＸ−Ｘ線に沿う拡大断面図。
【図３】図２の敷居単独での拡大断面図。
【発明を実施するための形態】
【００１７】
図１〜３は本発明に係るエレベータ用敷居の具体的な実施の形態を示す図であって、図１はエレベータのドア閉状態での乗場側の乗降口を昇降路側から見た図を示し、図２は図１の要部を示し、図３は図２の敷居単独での拡大断面図を示している。なお、図２は図１のＸ−Ｘ線に沿う拡大断面図を示している。また、図１〜３のエレベータ用敷居は２枚片引き戸タイプでガイド溝が二つの敷居である。
【００１８】
図１に示すエレベータの乗場側の乗降口（以下、単に乗降口と称する。）１は大略して上枠２と、当該上枠２の左右の両端からその下方に向けて配置された縦枠（袖枠）３，４と、この上枠２に吊下げられた二枚のスライドドア５，６と、さらには乗降口１の下部に配置されて、これらのスライドドア５，６を開閉可能に案内する敷居７とから構成されている。なお、図１では手前側がかごが昇降する昇降路側、奥側が乗場側となっている。
【００１９】
上記上枠２には、図１に示すように、ドアレール８が固定されているとともに、このドアレール８にドアハンガー９，１０がドア開閉方向（図中の左右の方向）に相対移動可能に取り付けられていて、これらのドアハンガー９，１０を介してスライドドア５，６はそれぞれドア開閉方向に相対移動可能に上枠２に吊り下げられている。
【００２０】
上記スライドドア５，６は、公知の片開き式のスライドドアであって、図中の左側のスライドドア５が高速スライドドア、同じく図中の右側のスライドドア６が低速スライドドアである。ドア閉状態を示す当該図１では、上記スライドドア５，６が引き違い状態をもって左右に配置されているため乗降口１は閉鎖されているが、ドア開動作時には、図示しないかご側の駆動装置に上記スライドドア５，６の一部が係合して、これらのスライドドア５，６は縦枠４の手前（昇降路側）に位置する戸袋３８内に重合して収容され、乗降口１は開放状態となる。
【００２１】
また、図２で示すように、上記スライドドア５，６それぞれの下端部にはブラケット１２がボルト１１によって締結結合されていて、このブラケット１２の下端部に取り付けられたガイドシュー１３が後述する敷居７のガイド溝１４，１５に嵌め込まれている。そして、ドア開閉動作時には同じく後述するカバー部材としてのフェースプレート１７と当該ガイドシュー１３とが摺動して、スライドドア５，６を案内することとなる。
【００２２】
上記敷居７は、図１，２で示すように乗降口１の最下部に配置されていて、その敷居７の下面にボルト１８，ナット１９にて締結された敷居側ブラケット２０と躯体側ブラケット２１とを介して建物躯体２２に固定支持されている。つまり、敷居７を支えている敷居側ブラケット２０と躯体側ブラケット２１とは互いに重ね合わせた上で、ボルト・ナット２３にて相互に共締め固定してある。さらに、図２に示すように、縦枠３，４の下部にはボルト・ナット２４にて縦枠側ブラケット２５を固定してあることから、敷居７の一方の側面（側壁部２９）は縦枠側ブラケット２５にボルト２６，ナット２７にて締結固定してある。これにより、敷居７の上面がスライドドア５，６の底面と対向するように近接配置されていて、その上面に一対のガイド溝１４，１５が形成されている。
【００２３】
より具体的には、図３に示すように上記敷居７は、本体部１６と、この本体部１６の上面全体を被覆しているカバー部材としてのフェースプレート１７とから構成されている。このフェースプレート１７は、敷居７への意匠性付与あるいは加飾の為に本体部１６に被せてある。
【００２４】
上記本体部１６は、アルミニウム系合金材を公知の押出成形法により長手方向で均一の断面形状のものとなるように形成した断面矩形レール状の押出成形品であって、その上面には、両側の側壁部２８，２９を残しつつ幅広の隔壁部３０を隔てて互いに平行な一対の凹状のガイド溝１４，１５が幅方向で並んで形成されている。これにより、一対の凹状のガイド溝１４，１５が形成された本体部１６の断面形状としては、そのガイド溝１４，１５のほかガイド溝１４，１５以外の本体部１６そのものの上面に沿った沿面形状が凹凸形状のものとなっている。
【００２５】
ここで、上記一方の側壁部２８と隔壁部３０には軽量化等を目的として長手方向に沿って中空状の空隙部３１，３２が形成されているほか、他方の側壁部２９と隔壁部３０には長手方向に沿ってスロット部３３，３４が形成されている。そして、一方のスロット部３３には、図２に示したように敷居７を縦枠側ブラケット２５に固定するためのボルト２６の頭部が回転不能に挿入されるとともに、他方のスロット部３４には、図２に示したように敷居７と敷居側ブラケット２０とを締結するためのボルト１８の頭部が回転不能に挿入される。
【００２６】
一方で、カバー部材としてのフェースプレート１７は、単一のステンレス系板材を折り曲げ成形することにより上記一対のガイド溝１４，１５の内周面及び上記本体部１６の上面全体を含む凹凸の沿面形状に倣うように同様に凹凸形状に形成してあって、これらのガイド溝１４，１５の内周面を含む当該本体部１６の上面全体を被覆している。より具体的には、フェースプレート１７は、一枚のフラットなステンレス系板材を折り曲げ成形して、本体部１６側の一対のガイド溝１４，１５が受容可能な矩形状の膨出部３５，３６を形成するとともに、一方の側壁部２８の外側に係合するフランジ部３７とを形成してある。
【００２７】
そして、凹凸形状に折り曲げ成形されたフェースプレート１７は、その全面が一対のガイド溝１４，１５の内周面を含む本体部１６の上面に密着するように、フェースプレート１７それ自体の弾性力（自己弾性力）に基づく圧入力をもって本体部１６に嵌合保持させてある。
【００２８】
これにより、図３に示すように凹凸形状に折り曲げ成形されたフェースプレート１７は、ガイド溝１４，１５の内部では本体部１６の幅方向に拡張するような自己弾性力が作用する一方、隔壁部３０および一方の側壁部２８の側面部ではそれらの隔壁部３０および一方の側壁部２８を左右両側から挟み込むような自己弾性力が作用することになる。そのため、本体部１６とフェースプレート１７とが相互に密着している部分のうち特にガイド溝１４，１５における内周面の縦壁面では、フェースプレート１７がそれ自体の自己弾性力に基づいて圧接または弾接していることになる。同時に、先に述べたようにガイド溝１４，１５の内部で本体部１６の幅方向に拡張するような自己弾性力、および隔壁部３０および一方の側壁部２８を左右両側から挟み込むような自己弾性力のために、本体部１６からのフェースプレート１７の抜け止めが施されていて、フェースプレート１７は図３の状態を自己保持している。
【００２９】
なお、必要に応じて、本体部１６とフェースプレート１７との間に金属同士の接着に適した構造用接着剤を介装させて、両者を接着接合することも可能である。これにより、本体部１６に対するフェースプレート１７の嵌合保持状態と姿勢とがより安定化することになる。
【００３０】
したがって、このように構成された敷居７によれば、一対のガイド溝１４，１５の内周面を含むアルミニウム系合金製の本体部１６の上面全体がステンレス系板材製のフェースプレート１７にて被覆されているので、両者の材質差や境界が外部に露出することがなく、視覚的な見栄えが良好なものとなり、意匠性あるいは外観品質が著しく向上することになる。
【００３１】
また、乗客や手押し運搬車等が敷居７の上を通行したとしても、乗客の靴や手押し運搬車の車輪が引っ掛かることもなく、フェースプレート１７の折れ曲がり等による見栄えの低下を未然に防ぐことができる。
【００３２】
その上、フェースプレート１７は本体部１６に対してそれ自体の自己弾性力をもって嵌合保持させてあるので、例えばビス等の固定手段を必要としないだけでなく、ステンレス系板材製のフェースプレート１７はアルミニウム系合金製の本体部１６よりも硬質であるので、フェースプレート１７を併用しないアルミニウム系合金製の敷居に比べてその摩耗を抑制することができ、耐久性が大幅に向上する。
【００３３】
ここで、上記実施の形態のようにアルミニウム系合金製の本体部１６にステンレス系板材製のフェースプレート１７を被せた敷居７と、フェースプレート１７を被せないアルミニウム系合金製の敷居とを用意し、例えばエレベータのグレードあるいは仕様、機種等に応じて、フェースプレート１７を被せた敷居７とそうでない敷居とを使い分けることも可能である。
【００３４】
また、既設エレベータのアルミニウム系合金製の敷居に対し、ステンレス系板材を折り曲げ成形したフェースプレートを現地にて被せることにより、意匠性の付与とともに外観品質の向上を図ることもできる。この場合において、敷居のガイド溝の溝幅が従前よりも小さくなるので、ステンレス系板材を折り曲げ成形したフェースプレートを被せるのに併せて、ガイドシューも幅寸法の小さいものに交換するものとする。
【００３５】
さらに、先の実施の形態では、２枚片引き戸タイプの敷居を例にとって説明したが、２枚両引き戸タイプでガイド溝が単一の敷居や、３枚片引き戸タイプで溝が三つの敷居等についても、本発明を同様に適用することができることは言うまでもない。
【符号の説明】
【００３６】
１…乗降口
５…スライドドア
６…スライドドア
７…敷居
１４…ガイド溝
１５…ガイド溝
１６…本体部
１７…カバー部材としてのフェースプレート
【図１】
2013245038.tif 000003
【図２】
2013245038.tif 000004
【図３】
2013245038.tif 000005